【手続補正書】
【提出日】平成17年1月24日(2005.1.24)
【手続補正１】
【補正対象書類名】特許請求の範囲
【補正対象項目名】全文
【補正方法】変更
【補正の内容】
【特許請求の範囲】
【請求項１】
細胞浸潤または血管形成を阻害する医薬組成物であって、該組成物が細胞浸潤または血管形成を阻害する1種以上の式IもしくはIIの化合物、またはその製薬上許容される塩、および製薬上許容される担体を含んでなり、式Iが：
【化１】
2004520372.tif 000001
［式中：
Xは、エポキシド、ケトン、チオカルボニル、オキシム、−OH、−OR、−O2CR、−SH、−SR、−SOCR、−NH2、−NHR、−NR2、−NR3＋、−NHCOR、−I、−Br、−Cl、−F、−CN、−CO2H、−CO2R、−CHO、−COR、−CONH2、−CONHR、NRCOR、−CONR2、−COSR、−NO2、−OSO3H、−SO3H、−SOR、および−SO2Rからなる群から選択される1個以上の置換基で場合によって置換された11個から30個の炭素を有する飽和、もしくは不飽和の、直鎖状、分枝状、もしくは部分的に環状化したアルキル鎖であって；このアルキル鎖中に存在する１個以上のCH2基は、場合によってO、S、NH、およびNRからなる群から選択される部分で置換され；このアルキル鎖中に存在する１個以上のCおよびCH基は、場合によってNHまたはNRで置換され；
R1およびR2は独立して：水素；メチル；−OH、−OR、＝O、＝S、＝N−OH、−O2CR、−SH、−SR、−SOCR、−NH2、−NHR、−NR2、−NR3＋、−NHCOR、−I、−Br、−Cl、−F、−CN、−CO2H、−CO2R、−CHO、−COR、−CONH2、−CONHR、NRCOR、−CONR2、−COSH、−COSR、−CSOR、−NO2、−OSO3H、−SO3H、−SOR、および−SO2Rからなる群から選択される1個以上の置換基で場合によって置換された1個から10個の炭素を含んだ直鎖状、分枝状、もしくは環状の、飽和もしくは不飽和のアルキル鎖；ならびにベンジルのフェニル環をR、−OH、−OR、−O2CR、−SH、−SR、−SOCR、−NH2、−NHR、−NHR2、−NHCOR、−I、−Br、−Cl、−F、−CN、−CO2H、−CO2R、−CHO、−COR、−CONH2、−CONHR、−CONR2、−COSH、−COSR、−NO2、−SO3H、および−SO2Rからなる群から選択される1個以上の置換基で場合によって置換されたベンジルからなる群から選択されるが；R1およびR2のいずれもN1とアミドを形成するアシルまたはチオアシル残基ではなく；
Yはエポキシド、−OH、−OR、＝O、＝S、＝N−OH、−O2CR、−SH、−SR、−I、−Br、−Cl、−F、−CN、−CO2R、−CHO、−COR、−CONH2、−CONHR、NRCOR、−CONR2、NO2、−SOR、および−SO2Rからなる群から選択される1個以上の置換基で場合によって置換された1個から10個の炭素を含んでいる直鎖状、分枝状、もしくは環状の、飽和もしくは不飽和のアルキル鎖であり；このアルキル鎖中に存在する１個以上のCH2基は、場合によってOまたはSで置換され；
Rはエポキシド、−OH、−OR'、＝O、＝S、＝N−OH、−O2CR'、−SH、−SR'、−SOCR'、−OSO3H、−NH2、−NHR'、−NHR'2、−NR3＋、−NHCOR'、NR'COR'、−I、−Br、−Cl、−F、−CN、−CO2H、−CO2R'、−CHO、−COR'、−CONH2、−CONHR'、−CONR'2、−COSH、−COSR'、−NO2、−SO3H、−SOR'、および−SO2R'からなる群から選択される1個以上の置換基で場合によって置換された1個から10個の炭素を有する、飽和または不飽和の、直鎖状、分枝状、もしくは環状のアルキル基であり；ここでR'は場合によってNH2で置換される、1個から10個の炭素を有する、飽和または不飽和の、直鎖状、分枝状、もしくは環状のアルキル基である。］
であり、式IIが：
【化２】
2004520372.tif 000002
［式中：
Xは、エポキシド、ケトン、チオカルボニル、オキシム、−OH、−OR、−O2CR、−SH、−SR、−SOCR、−NH2、−NHR、−NR2、−NR3＋、−NHCOR、−I、−Br、−Cl、−F、−CN、−CO2H、−CO2R、−CHO、−COR、−CONH2、−CONHR、NRCOR、−CONR2、−COSR、−NO2、−OSO3H、−SO3H、−SOR、および−SO2Rからなる群から選択される1個以上の置換基で場合によって置換された11個から30個の炭素を有する飽和、もしくは不飽和の、直鎖状、分枝状、もしくは部分的に環状化したアルキル鎖であって；このアルキル鎖中に存在する１個以上のCH2基は、場合によってO、S、NH、およびNRからなる群から選択される部分で置換され；このアルキル鎖中に存在する１個以上のCまたはCH基は、場合によってNHまたはNRで置換され；
R1、R2、およびR3は独立して：メチル；−OH、−OR、＝O、＝S、＝N−OH、−O2CR、−SH、−SR、−SOCR、−NH2、−NHR、−NR2、−NR3＋、−NHCOR、−I、−Br、−Cl、−F、−CN、−CO2H、−CO2R、−CHO、−COR、−CONH2、−CONHR、NRCOR、−CONR2、−COSH、−COSR、−CSOR、−NO2、−OSO3H、−SO3H、−SOR、および−SO2Rからなる群から選択される1個以上の置換基で場合によって置換された1個から10個の炭素を含んだ直鎖状、分枝状、もしくは環状の、飽和もしくは不飽和のアルキル基；ならびにベンジルのフェニル環をR、−OH、−OR、−O2CR、−SH、−SR、−SOCR、−NH2、−NHR、−NHR2、−NHCOR、−I、−Br、−Cl、−F、−CN、−CO2H、−CO2R、−CHO、−COR、−CONH2、−CONHR、−CONR2、−COSH、−COSR、−NO2、−SO3H、−SORおよび−SO2Rからなる群から選択される1個以上の置換基で場合によって置換されたベンジルからなる群から選択されるが；R1、R2、R3のいずれもN1とアミドを形成するアシルまたはチオアシル残基ではなく；
Yはエポキシド、−OH、−OR、＝O、＝S、＝N−OH、−O2CR、−SH、−SR、−I、−Br、−Cl、−F、−CN、−CO2R、−CHO、−COR、−CONH2、−CONHR、NRCOR、−CONR2、NO2、−SOR、および−SO2Rからなる群から選択される1個以上の置換基で場合によって置換された1個から10個の炭素を含んでいる直鎖状、分枝状、もしくは環状の、飽和もしくは不飽和のアルキル鎖であり；このアルキル鎖中に存在する１個以上のCH2基は、場合によってOまたはSで置換され；そして
Rはエポキシド、−OH、−OR'、＝O、＝S、＝N−OH、−O2CR'、−SH、−SR'、−SOCR'、−OSO3H、−NH2、−NHR'、−NHR'2、−NR'3＋、−NHCOR'、NR'COR'、−I、−Br、−Cl、−F、−CN、−CO2H、−CO2R'、−CHO、−COR'、−CONH2、−CONHR'、−CONR'2、−COSH、−COSR'、−NO2、−SO3H、−SOR'、および−SO2R'からなる群から選択される1個以上の置換基で場合によって置換された1個から10個の炭素を有する、飽和または不飽和の、直鎖状、分枝状、もしくは環状のアルキル基であり；ここでR'は場合によってNH2で置換される1個から10個の炭素を有する、飽和または不飽和の、直鎖状、分枝状、もしくは環状のアルキル基である。］
である、上記組成物。